(57)【要約】【課題】  簡単な構成の変更により、硬質腕時計ケースの装飾性と剛性を高め、時計バンドを支持するバネ棒の着脱に伴う割れや欠けがケース枠本体の脚部に生じないような構造とし、さらにケース枠本体に対しネジブッシュをロー付けする必要のない裏蓋の取付構造の硬質腕時計ケースを提供する。【解決手段】  バネ棒の止め穴を両端に設けた耐衝撃性のある金属製の加飾部品と突片状のネジ係止部品を、ケース枠本体の３時側−９時側側面に設けた凹溝部と空洞部にそれぞれ嵌合させ、バネ棒の止め穴が脚部のバンド取付スペースの内壁面に露出するように、ケース枠本体の脚部に設けた貫通穴に埋込み装着し、裏蓋を取り付ける際、裏蓋を係止するネジを前記ケース枠本体の空洞部に配置したネジ係止部品のネジ孔にネジ止めして裏蓋をケース本体枠に取付固定し、同様に時計バンドを取り付ける際、バネ棒を加飾部品の止め穴間に掛渡して止める。【選択図】  図１
2009017080.tif 000002
【特許請求の範囲】
【請求項１】
左右対の脚部又はそれに相当する形状の脚部を相対位置に設けた硬質材からなるケース枠本体と、
ケース枠本体の正面側に取付られるカバーガラスと、
ケース枠本体の背面側に取付られる裏蓋と、
別体の時計バンドを前記脚部の間に支持するためのバンド取付スペースと、
を備える腕時計ケースにおいて、
バネ棒の止め穴を両端に設けた耐衝撃性のある金属製の加飾部品を、
前記ケース枠本体の３時側−９時側側面に設けた凹溝部に嵌合させ、
前記バネ棒の止め穴が前記脚部のバンド取付スペースの内壁面に露出するように、ケース枠本体の脚部に設けた貫通穴に埋込み装着し、
時計バンドを取り付ける際、バネ棒を前記装着した加飾部品の止め穴間に掛渡して止める
、ことを特徴とする腕時計ケース。
【請求項２】
左右対の脚部又はそれに相当する形状の脚部を相対位置に設けた硬質材からなるケース枠本体と、
ケース枠本体の正面側に取付られるカバーガラスと、
ケース枠本体の背面側にネジにより取付られる裏蓋と、
別体の時計バンドを前記脚部の間に支持するためのバンド取付スペースと、
を備える腕時計ケースにおいて、
バネ棒の止め穴を両端に設けた耐衝撃性のある金属製の加飾部品と、突片状のネジ係止部品とを、
前記ケース枠本体の３時側−９時側側面に設けた凹溝部、及び前記ケース枠本体のネジ係止部品に対応する空洞部にそれぞれ嵌合させ、
前記バネ棒の止め穴が前記脚部のバンド取付スペースの内壁面に露出するように、ケース枠本体の脚部に設けた貫通穴に埋込み装着し、
裏蓋を取り付ける際、裏蓋を係止するネジを前記ケース枠本体の空洞部に配置したネジ係止部品のネジ孔にネジ止めすることにより、裏蓋をケース本体枠に取付固定し、
同様に時計バンドを取り付ける際、バネ棒を前記装着した加飾部品の止め穴間に掛渡して止める、
、ことを特徴とする腕時計ケース。
【請求項３】
前記金属製の加飾部品の可視表面部分に装飾模様あるいは宝石材料等による宝飾が施され、かつ前記加飾部品の少なくとも一部又は全部が、金、白金等の貴金属材料からなることを特徴とする請求項１又は請求項２に記載の腕時計ケース。
【請求項４】
前記ケース枠本体が、粉末射出成形技術により形成されたことを特徴とする請求項１又は請求項２に記載の腕時計ケース。
【請求項５】
前記ケース枠本体が、ＴaＣ系、ＴiＣ系、ＷＣ系の硬質合金材料又は超硬合金材料からなることを特徴とする請求項１又は請求項２に記載の腕時計ケース。
【請求項６】
前記ケース枠本体が、ジルコニア系セラミックス又はアルミナセラミックス材料からなることを特徴とする請求項１又は請求項２に記載の腕時計ケース。
【請求項７】
前記ケース枠本体の３時側−９時側側面に設けた凹溝部の内形形状が、前記金属製の加飾部品の外形形状に対し相似形であり、前記加飾部品が凹溝部に嵌合した際、ケース枠本体全体を補強する構造となることを特徴とする請求項１又は請求項２に記載の腕時計ケース。
【請求項８】
前記ネジ係止部品が、加飾部品と一体形状に設けられたことを特徴とする請求項２に記載の腕時計ケース。
【請求項９】
前記ネジ係止部品が、加飾部品とは別体に設けられたことを特徴とする請求項２に記載の腕時計ケース。
【発明の詳細な説明】
【技術分野】
【０００１】
本発明は腕時計ケースに係り、ケース枠本体に対するバンド部品及び裏蓋部品の取り付け構造に関するものである。更にはケース枠本体外装の装飾性を高めるための加飾構造に関するものである。
【背景技術】
【０００２】
従来から、左右対の脚部をケース枠本体の相対位置に設け、別体の時計バンドをバネ棒で前記脚部の間に取り付ける腕時計ケース構造が一般的に知られている（特許文献１，２参照）。この腕時計ケースにおいては、バネ棒を掛渡し係止する止め穴が、ケース枠本体の１２−６時側の各脚部の内壁面に設けられている。【０００３】
【特許文献１】特開平７−２３１８０２号公報
【特許文献２】特開平１０−２２５３０９号公報
【０００４】
その腕時計ケースとしては、例えば図１１に示すように、ケース枠本体60を超硬合金やセラミックス等の難加工材料の硬質材で形成するものがある。超硬合金からなるケース枠本体60においては、バネ棒50先端の突出ピン50aの止め穴60fが、各脚部60eの内壁面60hに放電加工技術によって直接設けられる。【０００５】
前記図１１で示すケース枠本体60では、別体の時計バンドの着脱において、バネ棒50を嵌め込む際、あるいは取り外す際の作業時に、突出ピン50aのバネ弾性押圧力の衝撃により、丸枠内の拡大図で示すような割れRや欠けSが、脚部60eの止め穴60fの周辺に生じ易く、品質外観上の問題になることが多い。それは、欠け易い超硬材料の物的特性によるばかりでなく、放電加工によって生ずる変質加工表面層のマイクロクラックが原因として挙げられる。これは硬質材のセラミックス材料にも言えることで、「硬い反面、欠けやすい」ことが硬質材からなる腕時計ケースの欠点でもあった。【０００６】
さらに欠け易い硬質腕時計ケースでは、裏蓋70を止める際、一般的なステンレス製腕時計ケースのような食いつけ構造や圧入止め構造が使用できず、ケース枠本体の背面側にネジブッシュ62を埋め込んでロー付けして、ネジ71でネジ止めしなければならず、放電加工や超音波穴加工又はロー付けの熱処理など、二次加工の作業性やコストの面で、裏蓋のネジ止め構造に問題があった。    【０００７】
このため硬質腕時計ケースは薄型化が難しく、設計上必要な強度が十分に得られないという理由から、肉厚の薄いケース枠本体の設計ができず、デザイン的な寸法仕様が限定されてしまうという問題があった。特に時計バンドを取り付けるケース枠本体の脚部の強度不足による破損が大きな問題であった。【０００８】
この問題を解決するため、ケース枠本体脚部のバネ棒の止め穴に対応する位置として、裏蓋の四隅の垂直方向に、時計バンドを取り付けるための突片をそれぞれ設け、耐衝撃性のある金属製の裏蓋で、バネ棒の止め穴部分を一体成形した構造が提案されている（特許文献３参照）。【０００９】
【特許文献３】特開２００４−１９８１８３号公報
【００１０】
しかし特許文献３に示される構造においても幾つかの問題を抱えていた。それは裏蓋とケース枠本体との取付構造において、従来のネジブッシュを用いた裏蓋のネジ止め構造と何ら変わらず、ケース枠本体の加工性や作業性、コストの面でまだ問題が解決されていなかった。またバネ棒取り付け後に時計バンドに曲げ応力が加わると、薄板状の裏蓋の四隅にある突片に力が集中的に加わり、裏蓋の四隅部分が変形してネジブッシュに悪影響を与える懸念があった。【００１１】
さらに特許文献３に示される構造は、通常の硬質腕時計ケース構造との外観的な差が全く無いという画期的で優れた時計バンドの取り付け構造ではあるが、硬質腕時計ケースを装飾品としてデザイン的に見た場合、外観の装飾性に欠け、斬新なデザインがこれ以上難しい構造であった。
【発明の開示】
【発明が解決しようとする課題】
【００１２】
本発明は、簡単な構成の変更により、硬質腕時計ケースの装飾性と剛性を高め、時計バンドを支持するバネ棒の着脱に伴う割れや欠けがケース枠本体の脚部に生じないような構造とし、さらにケース枠本体に対し、ネジブッシュをロー付けする必要のない裏蓋の取付構造を同時に改良した硬質腕時計ケースを提供することを目的とする。
【課題を解決するための手段】
【００１３】
本発明の請求項１に係る腕時計ケースでは、左右対の脚部又はそれに相当する形状の脚部を相対位置に設けた硬質材からなるケース枠本体と、ケース枠本体の正面側に取付られるカバーガラスと、ケース枠本体の背面側に取付られる裏蓋と、別体の時計バンドを前記脚部の間に支持するためのバンド取付スペースと、を備える腕時計ケースにおいて、
バネ棒の止め穴を両端に設けた耐衝撃性のある金属製の加飾部品を、前記ケース枠本体の３時側−９時側側面に設けた凹溝部に嵌合させ、前記バネ棒の止め穴が前記脚部のバンド取付スペースの内壁面に露出するように、ケース枠本体の脚部に設けた貫通穴に埋込み装着し、時計バンドを取り付ける際、バネ棒を前記装着した加飾部品の止め穴間に掛渡して止めることを特徴としている。【００１４】
本発明の請求項２に係る腕時計ケースでは、左右対の脚部又はそれに相当する形状の脚部を相対位置に設けた硬質材からなるケース枠本体と、ケース枠本体の正面側に取付られるカバーガラスと、ケース枠本体の背面側にネジにより取付られる裏蓋と、別体の時計バンドを前記脚部の間に支持するためのバンド取付スペースと、を備える腕時計ケースにおいて、
バネ棒の止め穴を両端に設けた耐衝撃性のある金属製の加飾部品と、突片状のネジ係止部品とを、前記ケース枠本体の３時側−９時側側面に設けた凹溝部、及び前記ケース枠本体のネジ係止部品に対応する空洞部にそれぞれ嵌合させ、前記バネ棒の止め穴が前記脚部のバンド取付スペースの内壁面に露出するように、ケース枠本体の脚部に設けた貫通穴に埋込み装着し、裏蓋を取り付ける際、裏蓋を係止するネジを前記ケース枠本体の空洞部に配置したネジ係止部品のネジ孔にネジ止めすることにより、裏蓋をケース本体枠に取付固定し、同様に時計バンドを取り付ける際、バネ棒を前記装着した加飾部品の止め穴間に掛渡して止めることを特徴としている。【００１５】
本発明の請求項３に係る腕時計ケースでは、金属製の加飾部品の可視表面部分に装飾模様あるいは宝石材料等の宝飾が施され、かつ前記加飾部品の少なくとも一部又は全部が、金、白金等の貴金属材料からなることを特徴としている。【００１６】
本発明の請求項４に係る腕時計ケースでは、ケース枠本体が、粉末射出成形技術により形成されたことを特徴としている。【００１７】
本発明の請求項５に係る腕時計ケースでは、ケース枠本体が、ＴaＣ系、ＴiＣ系、ＷＣ系の硬質合金材料又は超硬合金材料からなることを特徴としている。【００１８】
本発明の請求項６に係る腕時計ケースでは、ケース枠本体が、ジルコニア系セラミックス又はアルミナセラミックス材料からなることを特徴としている。【００１９】
本発明の請求項７に係る腕時計ケースでは、ケース枠本体の３時側−９時側側面に設けた凹溝部の内形形状が、前記金属製の加飾部品の外形形状に対し相似形であり、前記加飾部品が凹溝部に嵌合した際、ケース枠本体全体を補強する構造となることを特徴としている。【００２０】
本発明の請求項８に係る腕時計ケースでは、ネジ係止部品が、加飾部品と一体形状に設けられたことを特徴としている。【００２１】
本発明の請求項９に係る腕時計ケースでは、ネジ係止部品が、加飾部品とは別体に設けられたことを特徴としている。
【発明の効果】
【００２２】
以上の如く、本発明に係る腕時計ケースによれば、ケース枠本体の３時側−９時側面の凹溝部に設けた耐衝撃性のある金属製の加飾部品を介して、バネ棒の止め穴を左右対のケース枠本体脚部の内壁面に相応させて配置させることができ、時計バンドを支持するバネ棒を止め穴間に掛渡して係止することができる。【００２３】
これにより、バネ棒の着脱に伴うケース枠本体側での割れや欠けが防げ、さらに時計バンド取り付け後の曲げ応力にも耐えられるようになり、ケース枠本体脚部に生じる割れ問題を防ぐことができる。【００２４】
また本発明に係る腕時計ケースによれば、金属製の加飾部品がケース枠本体の３時側−９時側で構造上の補強部材として働き、ケース枠本体の強度不足を解消でき、硬質腕時計ケースの薄型化が可能となる。よってケース枠本体の設計上必要な強度が得られるので、肉厚の薄い時計ケース枠デザインが可能となる。【００２５】
また裏蓋とケース枠本体との取付構造が、従来のネジブッシュを用いずとも簡単にネジ止め可能となり、ネジブッシュの埋め込みロー付け作業が不要となり、加工性、作業性に優れ、製造工程が削減できる。【００２６】
また、本発明に係る腕時計ケースによれば、従来構造の硬質腕時計ケースとしての単調な部品構成からなるデザインに比べ、３時側−９時側側面に配置する金属製の加飾部材が、金銀色の貴金属の光沢鏡面の輝きや、ダイヤモンドや宝石等の光の輝きがある加飾模様を呈し、ケース枠本体である黒色又はパールホワイト色のジルコニアセラミック材料とそれらが組み合わされ、高級感のある新規なデザインの腕時計ケースが得られる。
【発明を実施するための最良の形態】
【００２７】
＜第一の実施形態＞
以下、図１〜図６の図面を参照して、本発明の腕時計ケース構造の一例を説明する。本発明の最良の実施形態としては、図１で示すように、腕時計ケースとしてのケース枠本体6を部品組込の基体とし、ケース枠本体6の正面側にカバーガラス5を取付け、また背面側から内胴6g内部に、針8と文字板7とムーブメント13とムーブメントホルダー9の時計機械一式を組入れ、さらに裏蓋10を、加飾部品1に設けたネジ係止部品2のネジ孔2aにネジ11を螺合することによりケース枠本体6側に固定し、機密性を備えた腕時計ケース100として組み立てるものであり、３時側−９時側に配置した加飾部品1の取り付け構造に特徴がある。【００２８】
尚、ケース枠本体6は、本実施例では粉末射出成形技術によって成形された黒色のジルコニア系セラミックス素材を用いているが、他に、アルミナ系又はジルコニア系の白色セラミックスからなる焼結材料や、ＴaＣ系、ＴiＣ系、ＷＣ系等のいずれかの焼結合金材料により成形される超硬、硬質材料でも可能である。また、金属製の加飾部品1の可視表面4（加飾面）部分には装飾模様あるいは宝石材料等の宝飾が施されてもよく、前記加飾部品1の少なくとも一部又は全部が、金、白金等の貴金属材料からなる。また裏蓋10は、一般的なステンレス等の耐衝撃性のある金属部材として形成されている。【００２９】
ケース枠本体6は、基本的に腕時計ケースの枠組みデザインとして、３時側−９時側、１２時側−６時側からなる環状の角形状のケース枠本体であり、１２時側−６時側の両端方向には、図１に示す左右対４カ所に脚部6eが相対位置に設けられ、図１には図示していない時計バンドを、前記左右対の脚部6e−6eの間に支持するためのバネ棒の取付スペース6cと6d（一般的に、この部分を時計用語で「カン股」ともいう）を備えて形成されている。【００３０】
裏蓋10は、前記４カ所に設けた脚部6eを除くケース枠本体6の裏側開口部（内胴6g）全体に嵌合固定可能な輪郭の平板形状に形成されている。上述した各構成部品から腕時計ケースを組み立てることを基本形態とし、バネ棒を掛渡し係止するべく、耐衝撃性のある金属製の加飾部品1がケース枠本体の凹溝部6aと6bに取り付けられる。【００３１】
加飾部品1の具体例を図２に示す。図２に示すように、貴金属材料から形成された加飾部品1の可視表面4にはストライプ状の凹凸形状の加飾模様が施され、加飾模様の反対面には、両端に円柱状のバネ棒取付台3が、またその内側にはネジ係止部品2が設けられている。さらにバネ棒取付台3の中心位置にはバネ棒の止め穴3aが配置され、その内側のネジ係止部品2にもネジ孔2aが設けられている。【００３２】
これらの加飾部品1は、図３に示す矢印E-Fの方向から、ケース枠本体6の３時側−９時側に設けられた凹溝部6a−6bに嵌合する。加飾部品1の組み込みが完了したケース枠本体6の凹溝部分は、図５に示すように、３時側−９時側側面に設けた凹溝部の内形形状に対し、前記金属製の加飾部品1の外形形状が相似形で嵌め込まれ、前記加飾部品1が凹溝部6a−6b内部を全て埋めるように面一に嵌め込まれる。これにより薄型化されたケース枠本体6全体を、取り付けた金属製からなる加飾部品1が補強する構造となる。【００３３】
この時同時に、ケース枠本体6の左右対の脚部6eに設けられた貫通穴6fには、前記加飾部品1のバネ棒取付台3が嵌め込まれ、また同様に前記ネジ係止部品2がケース枠本体6の空洞部6hに係止される。【００３４】
これにより、図４のケース枠本体6の９時側に示すように、前記バネ棒取付台3の中心に位置するバネ棒の止め穴3aが、９時側の脚部6eの貫通穴6fを通り抜けて、バンド取付スペース6cの内壁面に露出する。【００３５】
同様に３時側の加飾部品1を矢印G方向からケース枠本体6に嵌合させ、その後、裏蓋10を係止するネジ11を、裏蓋10の穴10aを介して、前記ケース枠本体6の空洞部6hに配置したネジ係止部品2のネジ孔2aにネジ止めすることにより、裏蓋10をケース本体枠6に取付固定する。【００３６】
図６に、ネジ係止部品2を用いた裏蓋10のネジ止め構造の断面図を示す。図６に示すように、可視表面4に加飾模様を施した加飾部品1は、ケース枠本体6の凹溝部6bに嵌合固定され、同時に一体形成されたネジ係止部品2がケース枠本体6の空洞部6hに挿入される。ネジ係止部品2のネジ孔2aは、ケース枠本体6の内胴側に突き抜けており、裏蓋10の穴10aを介してネジ11と螺合して、裏蓋10がネジ止めされる。【００３７】
また図５に示すように、加飾部品1のバネ棒取付台3の露出面がケース枠本体6の左右脚部6eの内壁面と嵌り合って外部に露出しないように面一に組付け固定されるので、デザイン的にも目立たず、通常のケース枠本体脚部の形態と外観上同じに組み立てられる。【００３８】
これにより加飾部品1は完全にケース枠本体6の凹溝部に機械的に固定され、裏蓋10側のネジ11を外さない限り、ケース枠本体6は分解できない組込構造となる。この組込構造はパッキンによる機密性（防水性）を得る設計のために重要となる。【００３９】
また同時に、加飾部品1とネジ係止部品2が一体成形されている場合、加飾部品1に配置されているバネ棒の止め穴3aが裏蓋10のネジ止めにより強固にケース枠本体6側に固定でき、バネ棒取付の際のバネ弾性押圧力に十分に耐えることができる。【００４０】
但し、この実施形態においては、時計バンドを取り付ける際に、バネ棒を用いて掛渡して止めることを前提としているが、時計バンド側にネジ止めする取付構造も可能である。例えば図７の分解図に示すように、加飾部品21とネジ係止部品22が別体である場合、ネジ係止部品22がケース枠本体6の空洞部6hに嵌め合い固定あるいは接着され、また加飾部品21がケース枠本体6にロー付け接合や接着、あるいは加飾部品21の挿入穴3bからピン又はネジを挿入し、時計バンド側とピン固定あるいはネジ止め固定してもよく、本発明の腕時計ケース構造は様々な取り付け方法によっても成り立つ。  【００４１】
＜第二の実施形態＞
以下、図８〜図１０の図面を参照して、本発明の腕時計ケース構造の別の一例を説明する。本発明の別の実施形態としては、図８で示すように、腕時計ケースとしてのケース枠本体36を部品組込の基体とし、ケース枠本体36の正面側にカバーガラス35を取付け、また背面側から内胴36g内部に、針8と文字板37とムーブメント（図面表記なし）とムーブメントホルダー39の時計機械一式を組入れ、さらに裏蓋40を、ケース枠本体36の正面側空洞部36hに設けたネジ係止部品32のネジ孔32aにネジ11を螺合することによりケース枠本体36側に固定し、機密性を備えた腕時計ケース200として組み立てるものであり、３時側−９時側に配置した加飾部品1の取り付け構造に特徴がある。【００４２】
尚、ケース枠本体36は、本実施例では白色のジルコニア系セラミックス素材を用いているが、他に、アルミナ系の白色、又はジルコニア系の黒色セラミックスからなる焼結材料や、ＴaＣ系、ＴiＣ系、ＷＣ系等のいずれかの焼結合金材料により成形される超硬・硬質材料でも可能である。また、金属製の加飾部品31の可視表面4（加飾面）部分には装飾模様あるいは宝石材料等の宝飾が施されてもよく、前記加飾部品31の少なくとも一部又は全部が、金、白金等の貴金属材料からなる。また裏蓋40は、一般的なステンレス等の耐衝撃性のある金属部材として形成されている。【００４３】
ケース枠本体36は、基本的に腕時計の枠組みデザインとして、３時側−９時側、１２時側−６時側からなる環状の丸形状のケース枠本体であり、１２時側−６時側の両方向には、図８に示す左右対４カ所に脚部36eが相対位置に設けられ、図示していない時計バンドを、前記左右対の脚部36e−36eの間に支持するためのバネ棒50の取付スペース36cと36d（一般的に、この部分を時計用語で「カン股」ともいう）を備えて形成されている。【００４４】
裏蓋40は、前記４カ所に設けた脚部36eを除くケース枠本体36の裏側開口部（内胴36g）全体に嵌合固定可能な輪郭の平板形状に形成されている。上述した各構成部品から腕時計ケースを組み立てることを基本形態とし、バネ棒を掛渡し係止するべく、耐衝撃性のある金属製の加飾部品31がケース枠本体の凹溝部36aと36bに取り付けられる。【００４５】
加飾部品31は貴金属材料から形成され、加飾部品31の可視表面4にはストライプ状の凹凸形状の加飾模様が施され、加飾模様の反対面には、両端に円柱状のバネ棒取付台3が設けられている。さらにバネ棒取付台3の中心位置にはバネ棒の止め穴3aが配置されている。【００４６】
これらの加飾部品31は、図９に示す矢印K-Lの方向から、ケース枠本体36の３時側−９時側に設けられた凹溝部36a−36bに嵌合する。加飾部品31の組み込みが完了したケース枠本体36の凹溝部分は、図１０に示すように、３時側−９時側側面に設けた凹溝部の内形形状に対し、前記金属製の加飾部品31の外形形状が相似形で嵌め込まれ、前記加飾部品31が凹溝部36a−36b内部を全て埋めるように面一に嵌め込まれる。これにより薄型化されたケース枠本体36全体を、取り付けた金属製からなる加飾部品31が補強する構造となる。【００４７】
この時、ケース枠本体36の左右対の脚部36eに設けられた貫通穴36fには、前記加飾部品31のバネ棒取付台3が嵌め込まれ、また別体の前記ネジ係止部品32がケース枠本体36のベゼル30の底面側の空洞部36hに係止される。【００４８】
これにより、図１０のケース枠本体36の９時側脚部36eのバンド取付スペース36dに示すように、前記バネ棒取付台3の中心に位置するバネ棒の止め穴3aが、９時側の脚部6eの貫通穴6fを通り抜けて、バンド取付スペース36dの内壁面に露出する。【００４９】
また別体の前記ネジ係止部品32がケース枠本体36のベゼル30の底面側の空洞部36hに係止されるので、裏蓋40を係止するネジ11を、裏蓋40の穴40aを介して、前記ケース枠本体36の空洞部36hに配置したネジ係止部品32のネジ孔32aにネジ止めすることにより、裏蓋40がケース本体枠36に取付固定される。【００５０】
ネジ係止部品32のネジ孔32aは、ケース枠本体36の内胴36g側に通じており、裏蓋40の穴40aを介してネジ11と螺合して、裏蓋40がネジ止めされる。【００５１】
これにより裏蓋40の取付には、ケース枠本体36側にネジブッシュ埋め込みのための穴明け作業やロー付け作業が不要となり、ケース枠本体36側の空洞部36hネジ係止部品32を嵌め込むだけで、裏蓋40を係止部品32のネジ孔32aにネジ11でネジ止め固定できる組込構造となる。この組込構造はパッキンによる機密性（防水性）を得る設計のために重要となる。【００５２】
図８の分解図に示すように、加飾部品31とネジ係止部品32が別体であったとしても、ネジ係止部品32がケース枠本体36の空洞部36hに嵌め合い固定あるいは接着され、また加飾部品31がケース枠本体36にロー付け接合や接着、あるいはネジ止め等により時計バンド側とネジ止め固定されてもよく、本発明の腕時計ケース構造は様々な取り付け方法によっても成り立つ。  【００５３】
このように本発明の腕時計ケースによる時計バンドの取付構造は、図８で示す（６時側のみ点線で図示）ように、バネ棒50の突出ピン50aをバネ棒取付台3の止め穴3aに嵌め込んで、バネ棒50を止め穴3aの間に掛渡し係止することができる。このバネ棒取付台3は、上述したように耐衝撃性のある金属部材からなり、加飾部品31と一体に形成されているから、バネ棒50の着脱に伴う衝撃によるケース枠本体36の脚部36e部分での割れや欠けが生じない。【００５４】
また図８で示すように、ネジ係止部品32は、ケース枠本体36のベゼル30の底部側の空洞部36hに簡単に備え付けることができる。またその空洞部36hは、粉末射出成形技術により容易にケース枠本体36の外装表面に射出成形することができるので、従来工法の放電加工による座刳り穴加工をケース枠本体に直接設け、ネジブッシュをロー付け接合する作業工程の必要性がない。またケース枠本体の脚部に直接バネ棒の止め穴を設けなくてもよい。【００５５】
またケース枠本体の脚部を含んで、ケース枠本体の３時側−９時側を加飾部品で補強できるので、ケース枠本体全体の強度が向上し、取付後の時計バンドの曲げ応力による割れや欠けが、ケース枠本体の脚部に生ずるのを防げる。【００５６】
上述した技術用語及び表現は単に説明のために用いたものに過ぎず、本発明の内容を何ら限定するものではない。例えば、左右対の脚部とは、それに相当する形状の脚部も含まれる。この他に、限定的な用語や表現を用いたとしても、そのことにより、上述した本発明の形態と均等なものを排除する意図はない。このため、権利が要求されている本発明の範囲内で種々の変更が加えられる。
【産業上の利用可能性】
【００５７】
本発明は、貴金属による加飾や宝飾デザインを目的とした硬質材からなるケース枠本体を備える腕時計ケースに関する。
【図面の簡単な説明】
【００５８】
【図１】本発明の実施形態に係る腕時計ケースを、各構成部品毎に展開して示す分解斜視図である。
【図２】図１の腕時計ケースに取り付ける加飾部品の形状を示す斜視図である。
【図３】図１の腕時計ケースのケース枠本体と加飾部品の組み立てを説明する斜視図である。
【図４】図１の腕時計ケースのケース枠本体と加飾部品、及び裏蓋の組み立てを説明する斜視図である。
【図５】図１の腕時計ケースを組み上げて完成させた状態の外観斜視図である。
【図６】図１の腕時計ケースにおけるネジ係止部品と裏蓋のネジ止め構造を説明する断面図である。
【図７】図１の腕時計ケースとは一部構造が異なる場合の加飾部品及びネジ係止部品のそれぞれの組み立てを説明する斜視図である。
【図８】本発明の別の実施形態に係る腕時計ケースを、各構成部品毎に展開して示す分解斜視図である。
【図９】図８の腕時計ケースのケース枠本体と加飾部品、及び裏蓋の組み立てを説明する斜視図である。
【図１０】図８の腕時計ケースを組み上げて完成させた状態の外観斜視図である。
【図１１】従来の腕時計ケース構造におけるバネ棒と裏蓋の取付構造を説明する図である。
【符号の説明】
【００５９】
１、２１、３１            加飾部品
２、２２、３２            ネジ係止部品
２a、２２a、３２a、６２a   ネジ孔
３                        バネ棒取付台
３a、６０f               止め穴
３b                      挿入孔
４                        可視表面（加飾面）
５、３５                  カバーガラス
６、３６、６０            ケース枠本体
６a、３６a、６０a         ３時側側面凹溝部
６b、３６b、６０b         ９時側側面凹溝部
６c、３６c、６０c         １２時側バンド取付スペース
６d、３６d、６０d         ６時側バンド取付スペース
６e、３６e、６０e         脚部
６f、３６f                貫通穴
６g、３６g、６０g         内胴
６h、３６h                空洞部
７、３７                  文字板
８                        針
９、３９                  ムーブメントホルダー
１０、４０、７０          裏蓋
１０a、４０a、７０a        穴
１１、７１                ネジ
１２                      リューズ
１３                      ムーブメント
３０                      ベゼル
５０                      バネ棒
５０a                     突出ピン
６２                      ネジブッシュ
１００、２００            腕時計ケース
【図１】
2009017080.tif 000003
【図２】
2009017080.tif 000004
【図３】
2009017080.tif 000005
【図４】
2009017080.tif 000006
【図５】
2009017080.tif 000007
【図６】
2009017080.tif 000008
【図７】
2009017080.tif 000009
【図８】
2009017080.tif 000010
【図９】
2009017080.tif 000011
【図１０】
2009017080.tif 000012
【図１１】
2009017080.tif 000013
【国際調査報告】
2009017080.tif 000014
2009017080.tif 000015
2009017080.tif 000016
2009017080.tif 000017